(57)【特許請求の範囲】
【請求項１】
少なくともＶｏＩＰ（Ｖｏｉｃｅ  ｏｖｅｒ  Ｉｎｔｅｒｎｅｔ  Ｐｒｏｔｏｃｏｌ）機能と無線ＬＡＮ（Ｌｏｃａｌ  Ａｒｅａ  Ｎｅｔｗｏｒｋ）機能とを搭載する宅内用の無線ＬＡＮルータ装置であって、
ＶｏＩＰ通話のＳＩＰ（Ｓｅｓｓｉｏｎ  Ｉｎｉｔｉａｔｉｏｎ  Ｐｒｏｔｏｃｏｌ）セッション情報と前記無線ＬＡＮ機能とを関連付けて管理する制御情報管理手段を有し、
前記制御情報管理手段は、ＳＩＰセッション状況通知をトリガとし、無線ＬＡＮドライバへ前記無線ＬＡＮ機能の制御命令を出力し、
前記制御情報管理手段は、前記ＶｏＩＰ通話の状況に応じて前記無線ＬＡＮ機能を停止させる制御命令を出力し、
前記制御情報管理手段は、ＳＩＰセッション確立通知を受け取ると、前記無線ＬＡＮ機能が動作しかつ自装置に無線子機端末が帰属していない場合、前記無線ＬＡＮドライバへ前記無線ＬＡＮ機能を停止させる制御命令を出力することを特徴とする無線ＬＡＮルータ装置。
【請求項２】
前記制御情報管理手段は、ＳＩＰセッション終了通知を受け取ると、前記無線ＬＡＮドライバへ前記無線ＬＡＮ機能を動作させる制御命令を出力することを特徴とする請求項１記載の無線ＬＡＮルータ装置。
【請求項３】
前記制御情報管理手段は、ＩＥＥＥ８０２．１１ｂ／ｇ帯に干渉しやすい無線帯域を使用するコードレス電話機による通話へのＩＥＥＥ８０２．１１ｂ／ｇ帯による無線ノイズを防止するために前記ＶｏＩＰ通話のＳＩＰセッション情報に基づいた前記無線ＬＡＮ機能の制御命令を出力することを特徴とする請求項１または請求項２記載の無線ＬＡＮルータ装置。
【請求項４】
少なくともＶｏＩＰ（Ｖｏｉｃｅ  ｏｖｅｒ  Ｉｎｔｅｒｎｅｔ  Ｐｒｏｔｏｃｏｌ）機能と無線ＬＡＮ（Ｌｏｃａｌ  Ａｒｅａ  Ｎｅｔｗｏｒｋ）機能とを搭載する宅内用の無線ＬＡＮルータ装置に用いる無線ＬＡＮ機能制御方法であって、
前記無線ＬＡＮルータ装置が、ＶｏＩＰ通話のＳＩＰ（Ｓｅｓｓｉｏｎ  Ｉｎｉｔｉａｔｉｏｎ  Ｐｒｏｔｏｃｏｌ）セッション情報と前記無線ＬＡＮ機能とを関連付けて管理する制御情報管理処理を実行し、
前記制御情報管理処理において、ＳＩＰセッション状況通知をトリガとし、無線ＬＡＮドライバへ前記無線ＬＡＮ機能の制御命令を出力し、
前記制御情報管理処理において、前記ＶｏＩＰ通話の状況に応じて前記無線ＬＡＮ機能を停止させる制御命令を出力し、
前記制御情報管理処理において、ＳＩＰセッション確立通知を受け取ると、前記無線ＬＡＮ機能が動作しかつ自装置に無線子機端末が帰属していない場合、前記無線ＬＡＮドライバへ前記無線ＬＡＮ機能を停止させる制御命令を出力することを特徴とする無線ＬＡＮ機能制御方法。
【請求項５】
少なくともＶｏＩＰ（Ｖｏｉｃｅ ｏｖｅｒ  Ｉｎｔｅｒｎｅｔ  Ｐｒｏｔｏｃｏｌ）機能と無線ＬＡＮ（Ｌｏｃａｌ  Ａｒｅａ  Ｎｅｔｗｏｒｋ）機能とを搭載する宅内用の無線ＬＡＮルータ装置内の中央処理装置に実行させるプログラムであって、
ＶｏＩＰ通話のＳＩＰ（Ｓｅｓｓｉｏｎ  Ｉｎｉｔｉａｔｉｏｎ  Ｐｒｏｔｏｃｏｌ）セッション情報と前記無線ＬＡＮ機能とを関連付けて管理する制御情報管理処理を含み、
前記制御情報管理処理において、ＳＩＰセッション状況通知をトリガとし、無線ＬＡＮドライバへ前記無線ＬＡＮ機能の制御命令を出力させ、
前記制御情報管理処理において、前記ＶｏＩＰ通話の状況に応じて前記無線ＬＡＮ機能を停止させる制御命令を出力させ、
前記制御情報管理処理において、ＳＩＰセッション確立通知を受け取ると、前記無線ＬＡＮ機能が動作しかつ自装置に無線子機端末が帰属していない場合、前記無線ＬＡＮドライバへ前記無線ＬＡＮ機能を停止させる制御命令を出力させることを特徴とするプログラム。
【発明の詳細な説明】
【技術分野】
【０００１】
本発明は無線ＬＡＮルータ装置及びそれに用いる無線ＬＡＮ機能制御方法並びにそのプログラムに関し、特に無線ノイズ防止機能付きＶｏＩＰ（Ｖｏｉｃｅ  ｏｖｅｒ  Ｉｎｔｅｒｎｅｔ  Ｐｒｏｔｏｃｏｌ）機能を搭載した宅内用の無線ＬＡＮ（Ｌｏｃａｌ  Ａｒｅａ  Ｎｅｔｗｏｒｋ）ルータ装置に関する。
【背景技術】
【０００２】
上記の無線ＬＡＮルータ装置では、通話に影響を与える無線ノイズを防止することを目的とした、ＶｏＩＰ機能と無線ＬＡＮ機能とを関連付けた管理を実施していない。よって、ＶｏＩＰ通話時に、動作している無線ＬＡＮ機能により通話に無線ノイズが入ってしまうことがある。
【０００３】
無線ノイズの防止方法としては、電界検出レベルが所定値より大きい場合にアナログフィルタを通過させずに通話を行い、電界検出レベルが所定値より大きい場合にアナログフィルタを通過させ、無線ノイズを減衰させて通話を行う方法が提案されている（例えば、特許文献１参照）。
【０００４】
また、音声品質を保証する方法としては、アクセスポイントが保留中でも通話帯域を確保し、ＶｏＩＰ端末が保留再応答したとしても切り戻りに失敗することなく、音声品質を保証することができるシステムが提案されている（例えば、特許文献２参照）。
【先行技術文献】
【特許文献】
【０００５】
【特許文献１】特開平０６−０７７８９２号公報
【特許文献２】特開２００７−２０１９６７号公報
【発明の概要】
【発明が解決しようとする課題】
【０００６】
しかしながら、上述した無線ＬＡＮルータ装置では、通話に影響を与える無線ノイズを防止するために、ＶｏＩＰ通話状態に応じて無線ＬＡＮ機能の有効・無効を制御する対策がとられていない。
【０００７】
そのため、上記の無線ＬＡＮルータ装置では、通話への無線ノイズ防止を目的とした、無線ＬＡＮ機能とＶｏＩＰ通話機能とを関連付けた制御をしていないため、ＶｏＩＰ通話状況による無線ＬＡＮ機能の制御を実施することができないという課題がある。
【０００８】
また、上記の無線ＬＡＮルータ装置では、無線ＬＡＮ機能の動作によりＶｏＩＰ通話に無線ノイズが入り、通話品質が確保できないという課題がある。これらの課題については、上記の特許文献１，２に記載の方法でも解決することができない。
【０００９】
そこで、本発明の目的は上記の問題点を解消し、ＶｏＩＰ通話状況に応じた無線ＬＡＮ機能の制御を行うことができる無線ＬＡＮルータ装置及びそれに用いる無線ＬＡＮ機能制御方法並びにそのプログラムを提供することにある。
【課題を解決するための手段】
【００１０】
本発明による無線ＬＡＮルータ装置は、少なくともＶｏＩＰ（Ｖｏｉｃｅ  ｏｖｅｒ  Ｉｎｔｅｒｎｅｔ  Ｐｒｏｔｏｃｏｌ）機能と無線ＬＡＮ（Ｌｏｃａｌ  Ａｒｅａ  Ｎｅｔｗｏｒｋ）機能とを搭載する宅内用の無線ＬＡＮルータ装置であって、
ＶｏＩＰ通話のＳＩＰ（Ｓｅｓｓｉｏｎ  Ｉｎｉｔｉａｔｉｏｎ  Ｐｒｏｔｏｃｏｌ）セッション情報と前記無線ＬＡＮ機能とを関連付けて管理する制御情報管理手段を備え、
前記制御情報管理手段は、ＳＩＰセッション状況通知をトリガとし、無線ＬＡＮドライバへ前記無線ＬＡＮ機能の制御命令を出力し、
前記制御情報管理手段は、前記ＶｏＩＰ通話の状況に応じて前記無線ＬＡＮ機能を停止させる制御命令を出力し、
前記制御情報管理手段は、ＳＩＰセッション確立通知を受け取ると、前記無線ＬＡＮ機能が動作しかつ自装置に無線子機端末が帰属していない場合、前記無線ＬＡＮドライバへ前記無線ＬＡＮ機能を停止させる制御命令を出力している。
【００１１】
本発明による無線ＬＡＮ機能制御方法は、少なくともＶｏＩＰ（Ｖｏｉｃｅ  ｏｖｅｒ  Ｉｎｔｅｒｎｅｔ  Ｐｒｏｔｏｃｏｌ）機能と無線ＬＡＮ（Ｌｏｃａｌ  Ａｒｅａ  Ｎｅｔｗｏｒｋ）機能とを搭載する宅内用の無線ＬＡＮルータ装置に用いる無線ＬＡＮ機能制御方法であって、
前記無線ＬＡＮルータ装置が、ＶｏＩＰ通話のＳＩＰ（Ｓｅｓｓｉｏｎ  Ｉｎｉｔｉａｔｉｏｎ  Ｐｒｏｔｏｃｏｌ）セッション情報と前記無線ＬＡＮ機能とを関連付けて管理する制御情報管理処理を実行し、
前記制御情報管理処理において、ＳＩＰセッション状況通知をトリガとし、無線ＬＡＮドライバへ前記無線ＬＡＮ機能の制御命令を出力し、
前記制御情報管理処理において、前記ＶｏＩＰ通話の状況に応じて前記無線ＬＡＮ機能を停止させる制御命令を出力し、
前記制御情報管理処理において、ＳＩＰセッション確立通知を受け取ると、前記無線ＬＡＮ機能が動作しかつ自装置に無線子機端末が帰属していない場合、前記無線ＬＡＮドライバへ前記無線ＬＡＮ機能を停止させる制御命令を出力している。
【００１２】
本発明によるプログラムは、少なくともＶｏＩＰ（Ｖｏｉｃｅ ｏｖｅｒ  Ｉｎｔｅｒｎｅｔ  Ｐｒｏｔｏｃｏｌ）機能と無線ＬＡＮ（Ｌｏｃａｌ  Ａｒｅａ  Ｎｅｔｗｏｒｋ）機能とを搭載する宅内用の無線ＬＡＮルータ装置内の中央処理装置に実行させるプログラムであって、
ＶｏＩＰ通話のＳＩＰ（Ｓｅｓｓｉｏｎ  Ｉｎｉｔｉａｔｉｏｎ  Ｐｒｏｔｏｃｏｌ）セッション情報と前記無線ＬＡＮ機能とを関連付けて管理する制御情報管理処理を含み、
前記制御情報管理処理において、ＳＩＰセッション状況通知をトリガとし、無線ＬＡＮドライバへ前記無線ＬＡＮ機能の制御命令を出力させ、
前記制御情報管理処理において、前記ＶｏＩＰ通話の状況に応じて前記無線ＬＡＮ機能を停止させる制御命令を出力させ、
前記制御情報管理処理において、ＳＩＰセッション確立通知を受け取ると、前記無線ＬＡＮ機能が動作しかつ自装置に無線子機端末が帰属していない場合、前記無線ＬＡＮドライバへ前記無線ＬＡＮ機能を停止させる制御命令を出力させている。
【発明の効果】
【００１３】
本発明は、上記のような構成及び動作とすることで、ＶｏＩＰ通話状況に応じた無線ＬＡＮ機能の制御を行うことができるという効果が得られる。
【図面の簡単な説明】
【００１４】
【図１】本発明の第１の実施の形態による無線ＬＡＮルータ装置の構成例を示すブロック図である。
【図２】図１に示す制御情報管理部に用いる管理情報テーブルの構成例を示す図である。
【図３】図１に示す制御情報管理部の動作を示すフローチャートである。
【図４】図１に示す制御情報管理部の動作を示すフローチャートである。
【図５】本発明の第２の実施の形態による無線ＬＡＮルータ装置の構成例を示すブロック図である。
【発明を実施するための形態】
【００１５】
次に、本発明の実施の形態について図面を参照して説明する。まず、本発明による無線ＬＡＮ（Ｌｏｃａｌ  Ａｒｅａ  Ｎｅｔｗｏｒｋ）ルータ装置の概要について説明する。本発明による無線ＬＡＮルータ装置は、ＶｏＩＰ（Ｖｏｉｃｅ  ｏｖｅｒ  Ｉｎｔｅｒｎｅｔ  Ｐｒｏｔｏｃｏｌ）機能を搭載した宅内用の無線ＬＡＮルータ装置である。
【００１６】
本発明による無線ＬＡＮルータ装置は、ＶｏＩＰ通話状況に応じて無線ＬＡＮ機能を停止させることで、無線ノイズを発生させることなく、音声品質を確保したＶｏＩＰ通話を可能としている。
【００１７】
本発明による無線ＬＡＮルータ装置は、ＶｏＩＰ制御部からのＳＩＰ（Ｓｅｓｓｉｏｎ  Ｉｎｉｔｉａｔｉｏｎ  Ｐｒｏｔｏｃｏｌ）セッション状況通知をトリガとし、無線ＬＡＮドライバへ無線ＬＡＮ機能の制御命令を出す制御情報管理部を備えている。
【００１８】
制御情報管理部は、ＶｏＩＰ制御部からＳＩＰセッション確立通知を受け取ると、無線ＬＡＮドライバから無線ＬＡＮインタフェースが動作しているかの情報を取得する。
【００１９】
制御情報管理部は、無線ＬＡＮインタフェースが動作しているならば、無線ＬＡＮドライバから無線ＬＡＮルータ装置に無線子機端末が帰属しているかどうかの情報を取得する。
【００２０】
無線子機端末が帰属していない場合、制御情報管理部は、無線ＬＡＮドライバへ無線ＬＡＮインタフェースを停止させる命令を出す。これによって、制御情報管理部は、無線ＬＡＮ機能を停止させ、無線ノイズを発生させることなく、ＶｏＩＰ通話を実施することができる。
【００２１】
制御情報管理部は、ＶｏＩＰ制御部からＳＩＰセッション終了通知を受け取ると、無線ＬＡＮドライバへ無線ＬＡＮインタフェースを動作させるよう命令を出し、無線ＬＡＮ機能を再開させる。
【００２２】
このように、本発明による無線ＬＡＮルータ装置では、制御情報管理部がＶｏＩＰ通話時に無線ＬＡＮ機能を停止させる制御命令を出すことで、無線ノイズを発生させることなく、ＶｏＩＰ通話を行うことができる。
【００２３】
図１は本発明の第１の実施の形態による無線ＬＡＮルータ装置の構成例を示すブロック図である。図１において、無線ＬＡＮルータ装置１は、無線ＬＡＮインタフェース１１と、無線ＬＡＮドライバ１２と、ｂｒｉｄｇｅモジュール１３と、ＬＡＮインタフェース１４と、制御情報管理部１５と、ルーティング部１６と、ＶｏＩＰ制御部１７と、電話機端子１８と、ＷＡＮ（Ｗｉｄｅ  Ａｒｅａ  Ｎｅｔｗｏｒｋ）インタフェース１９とを備え、電話機端子１８にアナログ電話機２が接続されている。
【００２４】
無線ＬＡＮインタフェース１１は、無線ＬＡＮドライバ１２の動作制御対象であり、無線ＬＡＮルータ装置１配下の無線子機端末（図示せず）と無線通信を行う。
【００２５】
無線ＬＡＮドライバ１２は、無線ＬＡＮインタフェース１１の動作制御を行う。つまり、無線ＬＡＮドライバ１２は、無線ＬＡＮインタフェース１１とｂｒｉｄｇｅモジュール１３との間で無線パケットを中継する。また、無線ＬＡＮドライバ１２は、無線ＬＡＮルータ装置１に帰属する無線子機端末情報を管理し、制御情報管理部１５に通知する。
【００２６】
ｂｒｉｄｇｅモジュール１３は、ＬＡＮインタフェース１４、ルーティング部１６からの有線パケットと、無線ＬＡＮインタフェース１１からの無線パケットとの相互変換処理を行う。
【００２７】
ＬＡＮインタフェース１４は、無線ＬＡＮルータ装置１配下のＬＡＮ側端末（図示せず）を接続してパケット送受信を行う。
【００２８】
制御情報管理部１５は、無線ＬＡＮドライバ１２とＶｏＩＰ制御部１７から無線制御実施に必要となる情報を管理情報テーブル（図示せず）により管理する。制御情報管理部１５は、ＶｏＩＰ制御部１７からＳＩＰセッション情報通知を受け取ってＶｏＩＰ通話状態を管理する。
【００２９】
また、制御情報管理部１５は、無線ＬＡＮドライバ１２から無線ＬＡＮインタフェース１１の動作情報、無線ＬＡＮルータ装置１配下の無線子機帰属情報を受け取って管理するとともに、無線ＬＡＮドライバ１２へ制御情報を送り、無線ＬＡＮインタフェース１１の動作制御を行う。
【００３０】
ルーティング部１６は、ｂｒｉｄｇｅモジュール１３、ＷＡＮインタフェース１９からのパケット情報を基に、ＬＡＮインタフェース１４、ＷＡＮインタフェース１９、無線ＬＡＮインタフェース１１へのパケット転送処理を行う。
【００３１】
ＶｏＩＰ制御部１７は、アナログ電話機２によるＶｏＩＰ通話で使用するＳＩＰパケットの生成処理及びＳＩＰセッション状態の管理、またＲＴＰ（Ｒｅａｌ  Ｔｉｍｅ  ｔｒａｎｓｐｏｒｔ  Ｐｒｏｔｏｃｏｌ）パケットの生成処理を行い、ルーティング部１６とパケットのやり取りを行う。また、ＶｏＩＰ制御部１７は、通話の開始、終了によるＳＩＰセッション情報を制御情報管理部１５へ通知する。
【００３２】
電話機端子１８は、アナログ電話機２の物理的な接続口となり、ＶｏＩＰ制御部１７とアナログ電話機２との音声信号を中継する。アナログ電話機２は、電話機端子１８に接続し、ＶｏＩＰ通話を行う端末として動作する。
【００３３】
ＷＡＮインタフェース１９は、無線ＬＡＮルータ装置１配下のＷＡＮ側端末（図示せず）を接続し、パケット送受信を行う。
【００３４】
図２は図１に示す制御情報管理部１５に用いる管理情報テーブルの構成例を示す図である。図２において、管理情報テーブルは、管理対象情報（「ＶｏＩＰ通話状態」、「無線ＬＡＮ機能動作状態」、「無線子機帰属状態」）と、現在の状態（「通話中・通話呼なし」、「動作中・停止中」、「帰属あり・帰属なし」）とを対応付けて保持している。
【００３５】
図３及び図４は図１に示す制御情報管理部１５の動作を示すフローチャートである。これら図１〜図４を参照して図１に示す制御情報管理部１５の動作について説明する。尚、図３及び図４に示す処理動作は、無線ＬＡＮルータ装置１内のＣＰＵ（中央処理装置）（図示せず）がプログラムを実行することでも実現可能である。
【００３６】
制御情報管理部１５は、管理情報テーブル（図２参照）により、無線ＬＡＮルータ装置１のＶｏＩＰ通話状態、無線ＬＡＮ動作状態、及び無線子機帰属状態を管理する。ＶｏＩＰ通話状態は、ＶｏＩＰ制御部１７からのＳＩＰセッション状態通知により管理情報を更新する。ＶｏＩＰ通話状態は、「通話中」、「通話呼なし」の２通りである。
【００３７】
無線ＬＡＮ動作状態及び無線子機帰属状態は、無線ＬＡＮドライバ１２から取得してその情報を更新する。無線ＬＡＮ動作状態は、「動作中」、「停止中」の２通りである。また、無線子機帰属状態は、「帰属あり」、「帰属なし」の２通りである。
【００３８】
本実施の形態での初期状態として、ＶｏＩＰ通話状態は「通話呼なし」、無線ＬＡＮ動作状態は「動作中」、無線子機帰属状態は「帰属なし」の状態とする。
【００３９】
制御情報管理部１５は、ＶｏＩＰ通話開始によりＶｏＩＰ制御部１７からＳＩＰセッション確立通知がに通知されると（図３ステップＳ１）、無線ＬＡＮドライバ１２から無線ＬＡＮインタフェース１１の動作情報、すなわち無線ＬＡＮルータ装置１の無線ＬＡＮ動作情報を取得する（図３ステップＳ２）。
【００４０】
制御情報管理部１５は、取得した無線ＬＡＮ動作情報を基に動作する（図３ステップＳ３）。本実施の形態では、無線ＬＡＮインタフェース１１が動作していいなかった場合（図３ステップＳ３の「停止中」）、制御情報管理部１５が図２の管理情報テーブルを「通話中」、「無線ＬＡＮ機能停止中」、「無線子機帰属なし」に更新し（図３ステップＳ７）、無線ＬＡＮ機能停止動作を行わずに、処理を終了する。
【００４１】
制御情報管理部１５は、無線ＬＡＮインタフェース１１の動作情報が通知されると（図３ステップＳ３の「動作中」）、無線ＬＡＮドライバ１２から無線子機帰属情報を取得する（図３ステップＳ４）。
【００４２】
制御情報管理部１５は、取得した無線子機帰属情報を基に動作する（図３ステップＳ５）。本実施の形態では、「無線子機帰属なし」の状態であるが、「無線子機帰属あり」の場合（図３ステップＳ５の「帰属あり」）、制御情報管理部１５が図２の管理情報テーブルを「通話中」、「無線ＬＡＮ動作中」、「無線子機帰属あり」に更新し（図３ステップＳ７）、無線ＬＡＮ機能停止動作を行わずに、処理を終了する。
【００４３】
制御情報管理部１５は、「無線子機帰属なし」の情報が通知されると（図３ステップＳ５の「帰属なし」）、無線ＬＡＮドライバ１２へ無線ＬＡＮインタフェース１１を停止させる命令を出す（図３ステップＳ６）。命令を受けた無線ＬＡＮドライバ１２は、無線ＬＡＮインタフェース１１の動作を停止させる。
【００４４】
制御情報管理部１５は、図２の管理情報テーブルを「通話中」、「無線ＬＡＮ機能停止中」、「無線子機帰属なし」に更新し（ステップＡ７）、無線ＬＡＮ機能停止動作を終了する。
【００４５】
制御情報管理部１５は、ＶｏＩＰ通話終了によりＶｏＩＰ制御部１７からＳＩＰセッション終了通知が通知されると（図４ステップＳ１１）、無線ＬＡＮドライバ１２へ無線ＬＡＮインタフェース１１を再開させる命令を出す（図４ステップＳ１２）。命令を受けた無線ＬＡＮドライバ１２は、無線ＬＡＮインタフェース１１の動作を再開させる。
【００４６】
制御情報管理部１５は、図２の管理情報テーブルを「通話呼なし」、「無線ＬＡＮ機能動作中」、「無線子機帰属なし」に更新し（図４ステップＳ１３）、無線ＬＡＮ機能再開動作を終了する。
【００４７】
このように、本実施の形態においては、通話への無線ノイズ防止のために、ＶｏＩＰ通話によるＳＩＰセッション情報と無線ＬＡＮ機能情報とを関連付けて管理しているので、ＶｏＩＰ通話状況に応じた無線ＬＡＮ機能の制御を行うことができる。
【００４８】
また、本実施の形態では、ＶｏＩＰ通話時に無線ＬＡＮ機能を停止するので、ＶｏＩＰ通話への無線ノイズを防止することができる。
【００４９】
本発明の第２の実施の形態としては、電話機としてコードレス電話機を使用する場合の無線制御動作について、無線ＬＡＮルータ装置の無線ＬＡＮインタフェースをＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ｂ／ｇ帯、ＩＥＥＥ８０２．１１ａ帯に分割して制御するという点でさらに工夫している。
【００５０】
すなわち、本発明の第２の実施の形態では、上述した具体例で言えば、無線ＬＡＮインタフェース制御対象を無線ＬＡＮインタフェース（８０２．１１ｂ／ｇ）に限定して無線制御を行う。その構成を図５に示す。
【００５１】
図５は本発明の第２の実施の形態による無線ＬＡＮルータ装置の構成例を示すブロック図である。図５において、本発明の第２の実施の形態による無線ＬＡＮルータ装置１ａは、無線ＬＡＮインタフェース１１の代わりに無線ＬＡＮ（８０２．１１ｂ／ｇ）インタフェース１１ａと無線ＬＡＮ（８０２．１１ａ）インタフェース１１ｂとを設置し、アナログ電話機２の代わりにコードレス電話機（親機）３とコードレス電話機（子機）４とを設置した以外は、図１に示す本発明の第１の実施の形態による無線ＬＡＮルータ装置１と同様の構成となっており、同一構成要素には同一符号を付してある。
【００５２】
無線ＬＡＮ（８０２．１１ｂ／ｇ）インタフェース１１ａは、無線ＬＡＮルータ装置１ａのＩＥＥＥ８０２．１１ｂ／ｇ帯の無線により、無線ＬＡＮルータ装置１ａ配下の無線子機端末（図示せず）と無線通信を行う。
【００５３】
無線ＬＡＮ（８０２．１１ａ）インタフェース１１ｂは、無線ＬＡＮルータ装置１ａのＩＥＥＥ８０２．１１ａ帯の無線により、無線ＬＡＮルータ装置１ａ配下の無線子機端末（図示せず）と無線通信を行う。
【００５４】
コードレス電話機（親機）３及びコードレス電話機（子機）４は、親機、子機間をＩＥＥＥ８０２．１１ｂ／ｇ帯で干渉しやすい無線帯域を使用して通話を行う。その他に関しては、図１に示すアナログ電話機２と同一動作となる。
【００５５】
この図５を参照して本実施の形態の動作について説明する。
【００５６】
制御情報管理部１５は、ＶｏＩＰ制御部１７からのＳＩＰセッション情報通知により、無線ＬＡＮドライバ１２から無線ＬＡＮルータ装置１ａの無線ＬＡＮ（８０２．１１ｂ／ｇ）インタフェース１１ａの動作情報を取得する。
【００５７】
本実施の形態での無線制御対象は、コードレス電話機（親機）３とコードレス電話機（子機）４との間の無線帯域と干渉しやすい無線ＬＡＮ（８０２．１１ｂ／ｇ）インタフェース１１ａのみであるため、無線ＬＡＮ（８０２．１１ａ）インタフェース１１ｂの無線ＬＡＮ動作には無関係となる。
【００５８】
よって、無線ＬＡＮルータ装置１ａのＩＥＥＥ８０２．１１ａ帯での無線通信は、ＶｏＩＰ通話状態に関係なく、可能である。その他、本実施の形態の動作説明については、本発明の第１の実施の形態と同様であるため、その説明を省略する。
【００５９】
このように、本実施例では、ＩＥＥＥ８０２．１１ｂ／ｇ帯に干渉しやすい無線帯域を使用するコードレス電話機を使用する場合において、無線制御対象をＩＥＥＥ８０２．１１ｂ／ｇ帯、ＩＥＥＥ８０２．１１ａ帯に分割することで、ＩＥＥＥ８０２．１１ｂ／ｇ帯の無線ＬＡＮインタフェース１１ａのみを無線制御することができるため、ＩＥＥＥ８０２．１１ａ帯で無線通信を行いながら、無線ノイズの原因となる無線ＬＡＮルータ装置１ａのＩＥＥＥ８０２．１１ｂ／ｇ帯の無線を制御することができるという効果が得られる。
【００６０】
上記の実施の形態の一部又は全部は、以下の付記のようにも記載され得るが、以下の記載に限定されない。
【００６１】
［付記１］
少なくともＶｏＩＰ（Ｖｏｉｃｅ  ｏｖｅｒ  Ｉｎｔｅｒｎｅｔ  Ｐｒｏｔｏｃｏｌ）機能と無線ＬＡＮ（Ｌｏｃａｌ  Ａｒｅａ  Ｎｅｔｗｏｒｋ）機能とを搭載する宅内用の無線ＬＡＮルータ装置に用いる無線ＬＡＮ機能制御方法であって、
前記無線ＬＡＮルータ装置が、ＶｏＩＰ通話のＳＩＰ（Ｓｅｓｓｉｏｎ  Ｉｎｉｔｉａｔｉｏｎ  Ｐｒｏｔｏｃｏｌ）セッション情報と前記無線ＬＡＮ機能とを関連付けて管理する制御情報管理処理を実行し、
前記制御情報管理処理において、ＳＩＰセッション状況通知をトリガとし、無線ＬＡＮドライバへ前記無線ＬＡＮ機能の制御命令を出力し、
前記制御情報管理処理において、前記ＶｏＩＰ通話の状況に応じて前記無線ＬＡＮ機能を停止させる制御命令を出力することを特徴とする無線ＬＡＮ機能制御方法。
【００６２】
［付記２］
前記制御情報管理処理において、ＳＩＰセッション確立通知を受け取ると、前記無線ＬＡＮ機能が動作しかつ自装置に無線子機端末が帰属していない場合、前記無線ＬＡＮドライバへ前記無線ＬＡＮ機能を停止させる制御命令を出力することを特徴とする付記１に記載の無線ＬＡＮ機能制御方法。
【００６３】
［付記３］
前記制御情報管理処理において、ＳＩＰセッション終了通知を受け取ると、前記無線ＬＡＮドライバへ前記無線ＬＡＮ機能を動作させる制御命令を出力することを特徴とする付記２に記載の無線ＬＡＮ機能制御方法。
【００６４】
［付記４］
前記制御情報管理処理において、ＩＥＥＥ８０２．１１ｂ／ｇ帯に干渉しやすい無線帯域を使用するコードレス電話機による通話へのＩＥＥＥ８０２．１１ｂ／ｇ帯による無線ノイズを防止するために前記ＶｏＩＰ通話のＳＩＰセッション情報に基づいた前記無線ＬＡＮ機能の制御命令を出力することを特徴とする付記１から付記３のいずれかに記載の無線ＬＡＮ機能制御方法。
【００６５】
［付記５］
少なくともＶｏＩＰ（Ｖｏｉｃｅ  ｏｖｅｒ  Ｉｎｔｅｒｎｅｔ  Ｐｒｏｔｏｃｏｌ）機能と無線ＬＡＮ（Ｌｏｃａｌ  Ａｒｅａ  Ｎｅｔｗｏｒｋ）機能とを搭載する宅内用の無線ＬＡＮルータ装置に用いる無線ＬＡＮ機能制御方法であって、
前記無線ＬＡＮルータ装置が、ＶｏＩＰ通話のＳＩＰ（Ｓｅｓｓｉｏｎ  Ｉｎｉｔｉａｔｉｏｎ  Ｐｒｏｔｏｃｏｌ）セッション情報と前記無線ＬＡＮ機能とを関連付けて管理する制御情報管理処理を実行し、
前記制御情報管理処理において、ＳＩＰセッション状況通知をトリガとし、無線ＬＡＮドライバへ前記無線ＬＡＮ機能の制御命令を出力し、
前記制御情報管理処理において、ＩＥＥＥ８０２．１１ｂ／ｇ帯に干渉しやすい無線帯域を使用するコードレス電話機による通話へのＩＥＥＥ８０２．１１ｂ／ｇ帯による無線ノイズを防止するために前記ＶｏＩＰ通話のＳＩＰセッション情報に基づいた前記無線ＬＡＮ機能の制御命令を出力することを特徴とする無線ＬＡＮ機能制御方法。
【符号の説明】
【００６６】
１，１ａ  無線ＬＡＮルータ装置
２  アナログ電話機
３  コードレス電話機（親機）
４  コードレス電話機（子機）
１１  無線ＬＡＮインタフェース
１１ａ  無線ＬＡＮ（８０２．１１ｂ／ｇ）インタフェース
１１ｂ  無線ＬＡＮ（８０２．１１ａ）インタフェース
１２  無線ＬＡＮドライバ
１３  ｂｒｉｄｇｅモジュール
１４  ＬＡＮインタフェース
１５  制御情報管理部
１６  ルーティング部
１７  ＶｏＩＰ制御部
１８  電話機端子
１９  ＷＡＮインタフェース
【図１】
0005305471.tif 000002
【図２】
0005305471.tif 000003
【図３】
0005305471.tif 000004
【図４】
0005305471.tif 000005
【図５】
0005305471.tif 000006